(57)【特許請求の範囲】
【請求項１】
エアゾール容器に着脱可能に嵌着するエアゾール容器のキャップにおいて、上記キャップ本体の上壁下面に下向き長さの短い円筒壁を同心状に設け、キャップ本体をエアゾール容器に嵌着したとき、エアゾール容器の中心から立つ噴射ステムの上端に設けたノズル付き押釦を挟んで対向する下向き長さの長い係合片と、下向き長さの短い係止片とを上記円筒壁の下端から円弧状断面形状で、且つ、上記円筒壁から直径方向に対向して下向きに設け、上記係合片を前記係止片に向けて折曲げ、その折曲部の先端を前記係止片の下端に係止し、その状態でキャップ本体をエアゾール容器に嵌着したとき、前記係合片の折曲部はノズル付き押釦を介して噴射ステムを押し下げ、エアゾール容器内の内容物を上記押釦のノズルから噴出させるようにしたことを特徴とするエアゾール容器のキャップ。
【請求項２】
請求項１に記載のエアゾール容器のキャップにおいて、キャップ本体の周側壁の一部の下端部に、キャップ本体をエアゾール容器に嵌着したとき、キャップ本体の内部を外気に連通させる溝形の膨出部を設けたことを特徴とするエアゾール容器のキャップ。
【請求項３】
エアゾール容器に着脱可能に嵌着するエアゾール容器のキャップにおいて、上記キャップ本体の上壁下面に、キャップ本体をエアゾール容器に嵌着したとき、エアゾール容器の中心から立つ噴射ステムの上端に設けたノズル付き押釦を挟んで２つの係合片を相対向して下向きに設けると共に、両係合片と直交して２つの係止片を下向きに設け、両係合片の途中を夫々相手に向かって折り曲げ、その各折曲部の先端の両側部を相対向した係止片で係止し、その状態でキャップ本体をエアゾール容器に嵌着したとき、前記係合片の折曲部はノズル付き押釦を介して噴射ステムを押し下げ、エアゾール容器内の内容物を上記押釦のノズルから噴出させるようにしたことを特徴とするエアゾール容器のキャップ。
【発明の詳細な説明】
【０００１】
【発明の属する技術分野】
この発明は、エアゾール式噴出容器に着脱可能に上から嵌着し、不使用時に噴射ステムの上端のノズル付き押釦を誤って押し下げ、器内の液体を高圧ガスの圧力でガスと共に上記押釦のノズルから噴出する無駄を防止するためのエアゾール容器のプラスチックで成形したキャップに関する。
【０００２】
【従来の技術】
エアゾール容器は、器内の液体を噴出して使い切り、液体が容器内に存在しなくなっても、器内には高圧ガスが残溜しているので、誤って加熱すると容器が破裂する危険がある。従って、器内の液体を使い切った後もノズル付き押釦を介して噴射ステムを押し下げ、器内に残存するガスを全部噴出し終わってから廃棄することが要請されている。しかし、それにはキャップを外し、器内のガスが出なくなるまでノズル付き押釦を指先で押し下げ続けねばならず、面倒な手数と時間を要する。このため、エアゾール容器に上から嵌着するキャップに、必要に応じノズル付き押釦を押し下げる機能を備えさせたものが特開昭１１−７０９８６号公報に開示されている。
【０００３】
【発明が解決しようとする課題】
上記従来のキャップは、周側壁の円周の一部に、上下に平行な二本の切り溝を形成し、ノズル付き押釦を押し下げて器内の高圧ガスを含む残溜物を排出する際は、キャップを外し、上下の平行な二本の千切り溝を千切り、この二本の千切り溝の間の円弧片をキャップの内側に押込むことにより反転させ、それからキャップを容器に嵌着し、反転させた円弧片でノズル付き押釦を押し下げるのである。しかし、キャップはプラスチックの成形品で弾力性を有するため、二本の千切り溝を千切って円弧片をキャップの内側に指で深く押込み、上記押釦を押し下げる位置まで反転させても、指を離すと弾性復元力で元に戻ってしまい、キャップを容器に嵌着してもノズル付き押釦を押し下げることができないとか、深く反転させても、弾性復元力の作用で少し戻って浅くしか反転せず、ノズル付き押釦を正確に押し下げる位置にすることができず、矢張りノズル付き押釦の押し下げが行えない等の問題がある。
【０００４】
又、ノズル付き押釦を押し下げる位置にまで円弧片を深く反転させることができ、キャップをエアゾール容器に嵌着して反転した円弧片でノズル付き押釦を押し下げ、器内の残溜物を押釦のノズルから噴出させた場合、反転した円弧片によりキャップの周側面には円弧片の跡としての横長な開口が生じているので、容器内に液体が残溜していると、その液体がガスと共に開口から外に噴き出し、衣服など周囲にあるものを汚す等の危険もある。
【０００５】
【課題を解決するための手段】
本発明は、上述した問題点を解消し、必要に応じノズル付き押釦を正確に押し下げることができるようにしたキャップを提供することを目的に開発されたもので、キャップ本体の上壁下面に下向き長さの短い円筒壁を同心状に設け、キャップ本体をエアゾール容器に嵌着したとき、エアゾール容器の中心から立つ噴射ステムの上端に設けたノズル付き押釦を挟んで対向する下向き長さの長い係合片と、下向き長さの短い係止片とを上記円筒壁の下端から円弧状断面形状で、且つ、上記円筒壁から直径方向に対向して下向きに設け、上記係合片を前記係止片に向けて折曲げ、その折曲部の先端を前記係止片の下端に係止し、その状態でキャップ本体をエアゾール容器に嵌着したとき、前記係合片の折曲部はノズル付き押釦を介して噴射ステムを押し下げ、エアゾール容器内の内容物を上記押釦のノズルから噴出させるようにしたことを特徴とする。この場合、キャップ本体の周側壁の一部の下端部に、キャップ本体をエアゾール容器に嵌着したとき、キャップ本体の内部を外気に連通させる溝形の膨出部を設けたりすることが好ましい。また、本発明は、エアゾール容器に着脱可能に嵌着するエアゾール容器のキャップにおいて、上記キャップ本体の上壁下面に、キャップ本体をエアゾール容器に嵌着したとき、エアゾール容器の中心から立つ噴射ステムの上端に設けたノズル付き押釦を挟んで２つの係合片を相対向して下向きに設けると共に、両係合片と直交して２つの係止片を下向きに設け、両係合片の途中を夫々相手に向かって折り曲げ、その各折曲部の先端の両側部を相対向した係止片で係止し、その状態でキャップ本体をエアゾール容器に嵌着したとき、前記係合片の折曲部はノズル付き押釦を介して噴射ステムを押し下げ、エアゾール容器内の内容物を上記押釦のノズルから噴出させるようにしたことを特徴とする。
【０００６】
【発明の実施の形態】
図示の各実施形態において、１はエアゾール容器としての缶、２はその缶の上面中心から立つ噴射ステム３の上端に設けられたノズル付き押釦で、この押釦を指で上記噴射ステムごと押し下げることにより容器内の液体は器内の高圧ガスと一緒に押釦の側面に開口したノズル２′から噴出する。誤って押釦２が押し下げられるのを防ぐため、不使用時にはプラスチックで成形したキャップ４を着脱可能に嵌着し、押釦に触れることができないようにする。このキャップは円筒形の周側壁５と、周側壁の上面を塞ぐ一体の上壁６とを備えたキャップ本体１０からなり、周側壁５の下端部内周には内向きの肥厚部７を有し、エアゾール容器１に上から被せると、キャップの弾性により上記肥厚部は缶１の上端部外周から張り出した巻締め縁８を下に乗り越えてスナップ係合し、嵌着状態を保つ。容器内の液体を噴出させるにはスナップ係合力に抗してキャップを容器から外し、ノズル付き押釦２を押し下げる。
【０００７】
キャップ本体１０の上壁６の下面には、キャップを容器１に上から嵌着したときに容器の中心から立つ噴射ステム３の上端に設けたノズル付き押釦２を挟んで対向する下向き長さの長い係合片１１と、下向き長さの短い係止片１３とをキャップ本体と一体に設け、係合片１１を係止片１２に向かって折り曲げると、係合片１１の折曲部１２は押釦２の上を横切るようにする。
【０００８】
図１に示した実施形態ではキャップ本体の上壁６の下面に、押釦２の上端部の回りを囲む下向き長さの短い円筒壁１４を同心状に一体に設け、上記係合片１１と係止片１３を上記円筒壁１４から下向きに直径方向に対向して設けてある。押釦を押し下げ続けて器内のガスを含む残溜物をノズル２′から噴出させ、器内を空（から）にするには、キャップ本体を容器から外し、係合片１１を円筒壁１４との接続個所で直角に折り曲げ、その横向きになった折曲部１２の先端１２′を係止片１３の下端に係止し、その状態でキャップ本体を容器１に嵌着する。これによって係合片１１の横向きに曲がった折曲部１２は押釦２の上を横切って押釦を押し下げ続けるので、器内に残存しているガスを含む残溜物を全量排出することができる（図１Ｃ参照）。
【０００９】
図１の実施形態では係合片１１と係止片１３を円筒壁１３から直径方向に対向させて下向きに設けてあるため、係合片、係止片の各断面形状は円弧状で強度を有し、殊に係合片の折曲部１２が押釦２を押し下げる際、押釦によって上に押戻されることはない。しかし、この円筒壁１３は、図２の実施形態に見られるように省略し、係合片、係止片の断面形状を扁平な直線状にしてもよい。
【００１０】
又、係止片１３の下端に、係合片の折曲部１２の先端１２′が入る逆Ｕ字形の凹部１５を形成し、この凹部の下端に内向きの突出部１５′，１５′を設け、係止片に向かって折り曲げた係合片の折曲部１２の先端１２′を上記両突出部１５′，１５′により凹部１５の内部に保持し、折曲部１２を折り曲げたのち、キャップを容器に嵌着するまでの間に折曲部が戻るのを防止することが好ましい。
【００１４】
又、ノズル付き押釦２の直径が大きいときは、係合片１１の下向き長さを長くし、その折曲部１２にノズル付き押釦の上を横切らせねばならないが、そうすると通常の使用時にキャップをエアゾール容器に被せようとすると、係止片の下端が押釦の傍で容器のドーム形の頂壁１′に突き当たり、キャップを容器に被せることができない事態も生じる。
【００１５】
その場合は図２に示すようにキャップの上壁６から２つの係合片１１，１１を相対向して下向きに設けると共に、両係合片と直交して２つの係止片１３，１３を下向きに設け（図２Ａ，Ｂ参照）、ノズル付き押釦２を押し下げ続けて容器内のガスを含む残溜物をノズル２′から噴出させ、器内を空（から）にするには両係合片の途中を夫々相手に向かって折り曲げ、その各折曲部１２，１２の先端の両側部を相対向した係止片１３，１３で係止する。この各係止片１３は、爪１６と当接部１８を備え、各折曲部の先端の両側部を爪１６と当接部１８との間で咬えて係止するものが好ましい。こうすることにより各係合片１１は、折曲した場合の折曲部１２の先端１２′がノズル付き押釦２の中心に届く長さがあればよくなるので、下向き長さを短縮でき、通常の使用時にキャップを容器に支障なく被せることができる。
【００１６】
どのようにして実施するにせよ、係合片１１には、係止片１３に向かって折り曲げる位置に薄肉部１９を設け、係合片を折り曲げ易くしておくことが好ましい。
【００１７】
又、キャップ本体の周側壁の一部の下端部に、キャップ本体を容器１に嵌着したとき、キャップ本体の内部を外気に連通させる溝形の膨出部２０を設けておくと、係合片１１の折曲部１２が上から押釦を押し下げ続けて噴出させるガスを含む残溜物を、この溝形膨出部２０から外に排出できるので好ましい。
【００１８】
【発明の効果】
以上で明らかなように、本発明によれば、キャップ本体を容器に嵌着したとき、押釦の上を横切る係合片１１の折曲部１２により押釦を押し下げるので、確実に押釦を押し下げ続けて器内に残存するガスを含む残溜物の全量を噴出させ容器の中を、完全に空（から）にすることができる。又、キャップ本体の周側壁には開口が無いため、容器内に少量の液体が残存していてガスと一緒に押釦のノズルから噴出しても外に噴き出さない。従って、噴き出した液により周囲が汚されることはない。
【図面の簡単な説明】
【図１】（Ａ）は本発明の一実施形態のキャップの通常の使用状態での断面図、（Ｂ）は同上のキャップの下面図、（Ｃ）はガスを噴出させている状態での断面図、（Ｄ）は（Ｃ）の矢印Ｄの方向から見た要部の立面図。
【図２】（Ａ）は本発明の他の一実施形態のキャップの通常の使用状態での断面図、（Ｂ）は上記（Ａ）のＢ−Ｂ線での断面図、（Ｃ）はガスを噴出させている状態での断面図、（Ｄ）は上記（Ｃ）のＤ−Ｄ線での断面図。
【符号の説明】
１  エアゾール容器（缶）
２  ノズル付き押釦
２′  ノズル付き押釦のノズル
３  噴射ステム
５  キャップの周側壁
６  キャップの上壁
１０  キャップ本体
１１  係合片
１２  係合片の折曲部
１３  係止片
【図１】
0003552969.tif 000002
【図２】
0003552969.tif 000003